(57)【要約】【課題】足拭きマットを乾燥させる足拭きマット装置において、別熱源の温風発生機が必要なため、効率的な運転による足拭きマットの乾燥と操作性と省エネ性が求められており、また、温風発生機の排気熱が、脱衣室内に蓄積されるため、脱衣室の環境を改善する足拭きマット装置を提供することを目的とする。【解決手段】浴室乾燥機１と足拭きマット装置１０をシステムとして、機器の共有構造で構築することで、浴室乾燥機１から送風を取り込み、足拭きマット１１を乾燥させることを可能としたものであり、排気熱を、浴室乾燥機１の排気ダクト９から屋外に排出することで、脱衣室の環境を改善する。【選択図】図１
2008073274.tif 000002
【特許請求の範囲】
【請求項１】
浴室を換気、暖房、乾燥または涼風運転する浴室乾燥機と足を拭く足拭きマットを備え、前記浴室乾燥機からの送風を前記足拭きマット装置に取り込むようにしたことを特徴とする足拭きマット装置システム。
【請求項２】
足拭きマット装置を床下あるいは壁内に収納する収納構造を備えたことを特徴とする請求項記載１記載の足拭きマット装置システム。
【請求項３】
浴室を換気、暖房、乾燥または涼風運転する浴室乾燥機の運転操作する遠隔操作手段に足拭きマット装置の運転制御機能を追加したことを特徴とする請求項１または２記載の足拭きマット装置システム。
【請求項４】
遠隔操作手段操作で浴室乾燥機と連動あるいは単独運転の選択が可能としたことを特徴とする請求項１〜３のいずれかに記載の足拭きマット装置システム。
【請求項５】
浴室乾燥機から単独運転で涼風運転による涼風を取り込むようにしたことを特徴とする請求項１〜４のいずれかに記載の足拭きマット装置システム。
【請求項６】
浴室乾燥機から単独運転で暖房運転による温風を取り込むようにしたことを特徴とする請求項１〜５のいずれかに記載の足拭きマット装置システム。
【請求項７】
浴室乾燥機から単独運転で乾燥運転による乾燥風を取り込むようにしたことを特徴とする請求項１〜６のいずれかに記載の足拭きマット装置システム。
【請求項８】
足拭きマット装置の中に、水分量検出手段を備えたことを特徴とする請求項１〜７のいずれかに記載の足拭きマット装置システム。
【請求項９】
足拭きマット装置の中に、加熱手段を備えたことを特徴とする請求項１〜８のいずれかに記載の足拭きマット装置システム。
【請求項１０】
足拭きマット装置の中に、重量を検知する重量検知手段を備えたことを特徴とする請求項１〜８のいずれかに記載の足拭きマット装置システム。
【請求項１１】
足拭きマット装置内に送り出しの回転ローラーを備え、前記送り出しの回転ローラーの回転制御を行う遠隔操作手段を備えたことを特徴とする請求項１〜８または１０のいずれかに記載の足拭きマット装置システム。
【請求項１２】
足拭きマット装置内に送り出しの回転ローラーと重量を検知する重量検知手段を備え、回転ローラーの回転中に一定重量以上の重量検知した時点で回転動作を停止する構成としたことを特徴とする請求項１〜８のいずれか、または１０または１１のいずれかに記載の足拭きマット装置システム。
【請求項１３】
足拭きマット装置内に足拭きマットを備え、足拭きマット着脱時に足拭きマット装置と浴室乾燥機を停止させる構成としたことを特徴とする請求項１〜８のいずれか、または１０〜１２のいずれかに記載の足拭きマット装置システム。
【請求項１４】
足拭きマット装置の中に、足拭きマットの汚れ具合を検出する汚れ検出手段を備えたことを特徴とする請求項１〜８のいずれか、または１０〜１３のいずれかに記載の足拭きマット装置システム。
【請求項１５】
足拭きマット装置の中に、ゴミ取りフィルターを内蔵したことを特徴とする請求項１〜８のいずれか、または１０〜１４のいずれかに記載の足拭きマット装置システム。
【発明の詳細な説明】
【技術分野】
【０００１】
本発明は、浴室乾燥機と連動運転させるシステム構成とし、使い勝手を向上させた足拭きマット装置に関するものである。
【背景技術】
【０００２】
近年、浴室空間が浴室暖房やミストサウナのように快適性を確保する空間となり、浴室から脱衣室に向かい、人体の水分をタオルにて拭く際に、足拭きマットには、人が集中して短時間に使用者が多いほど、足拭きマットが濡れたままで、足触りが悪く、不快感を与え、脱衣室の快適性を損なう状態になっていることから、浴室空間と同様な快適性を確保することが出来る足拭きマット装置が求められている。
【０００３】
従来、この種の足拭きマット装置の一例として、温風発生器を使用した足拭きマット装置が知られている（例えば、特許文献１参照）。
【０００４】
以下、その足拭きマット装置について図８および図９を参照しながら説明する。
【０００５】
図に示すように、足拭きマット装置の構造として、温風を発生し、乾燥させる温風発生機１０１と、運転停止の操作をする操作部１０２と、脱衣室に設置された温風発生機１０１が吸気をするための吸気口１０３と、温風発生機１０１の電源を供給するための電源コンセント１０４と、温風発生機１０１からの温風の風路である温風筒１０５と、温風を吹出すための温風吹出し口１０６と、温風吹出し口１０６と接続させるための部材である接続部材１０７と、足を拭くための足拭きマット１０８と、脱衣室に温風を吹出すための開口部１０９と、接続部材１０７とを接続する開口部の一端１１０を備え、温風発生機１０１からの温風が温風筒１０５を通り、装着された足拭きマット１０８に送風することで、足拭きマット１０８が乾燥される構成となっていた。
【特許文献１】特開平３−２２１０２０号公報（図１、図２）
【発明の開示】
【発明が解決しようとする課題】
【０００６】
このような従来の足拭きマット装置では、足拭きマットを乾燥させるためには、乾燥させるための専用機器を設け、脱衣室に機器を設置するものが多く、別機器のため、お互い熱源を搭載し、運転させるために、大きな電力を必要としていた。
【０００７】
また、効率的な運転による足拭きマットの乾燥と省エネ性が求められている。
【０００８】
さらに、温風発生機からの温風が足拭きマットを通過し、脱衣室内に温風の熱が蓄積されることになるため、脱衣室の環境を改善する必要があるという課題があり、また脱衣室に温風発生機を設置していたため、脱衣室のスペースを確保する必要があり、機器の小型化の要求と商品としての使い勝手向上として、操作性の向上が求められているという課題があった。
【０００９】
本発明は、このような従来の課題を解決するものであり、浴室乾燥機と足拭きマット装置を一つのシステムとして構築することで、効率的な運転による足拭きマットの乾燥と操作性を実現し、常時、乾燥された足拭きマット装置システムの提供と省エネ化を図る。
【００１０】
また、脱衣室の環境を改善することができ、浴室乾燥機と足拭きマットの機器の構造を共用設計して、小型化による脱衣室の有効利用と機器の自動制御を実現して、脱衣室の環境改善と省エネ化と操作性の向上を図ることができる足拭きマット装置を提供することを目的としている。
【００１１】
さらに、脱衣室のスペースを有効活用するために、脱衣室に設置せず、足拭きマット装置を床下あるいは壁内に収納する収納構造とし、また、床と同じ高さにしたバリアフリー構造にする足拭きマット装置を提供することを目的としている。
【課題を解決するための手段】
【００１２】
本発明の足拭きマット装置は、上記目標を達成するため、浴室を換気、暖房、乾燥または涼風運転する浴室乾燥機と足を拭く足拭きマット装置を備え、前記浴室乾燥機からの送風を前記足拭きマット装置に取り込むようにしたことを特徴とする。
【００１３】
また、本発明によれば浴室乾燥機と足拭きマット装置をシステムとして構築することで、効率的な運転による足拭きマットの乾燥と機器の操作性の向上を実現し、常時、乾燥された足拭きマットを提供し、省エネ性を図るものである。
【００１４】
さらに、脱衣室の環境を改善するために浴室乾燥機と足拭きマット装置の構造を共用設計して、機器の小型化と自動制御を実現して省エネ化と操作性の向上を図ることができる足拭きマット装置が得られる。
【００１５】
また、他の手段は、足拭きマット装置を床下あるいは壁内に収納する収納構造を備えたことを特徴とする。
【００１６】
この手段により、脱衣室のスペースを有効活用するために、脱衣室に設置せず、床と同じ高さにしたバリアフリー構造にすることができる足拭きマット装置が得られる。
【００１７】
また、他の手段は、浴室を換気、暖房、乾燥または涼風運転する浴室乾燥機の運転操作する遠隔操作手段に足拭きマット装置の運転制御機能を追加したことを特徴とする。
【００１８】
この手段により、離れた場所にある機器の運転操作ボタンを押すことなく、浴室乾燥機の遠隔操作手段のみで操作できる使い勝手がよく、操作性が向上した足拭きマット装置が得られる。
【００１９】
また、他の手段は、遠隔操作手段操作で浴室乾燥機と足拭きマット装置が連動あるいは単独運転の選択を可能としたことを特徴とする。
【００２０】
この手段により、浴室乾燥機と足拭きマット装置を１つの遠隔操作手段で集中制御することができる足拭きマット装置が得られる。
【００２１】
また、他の手段は、浴室乾燥機から単独運転で涼風運転による涼風を取り込むようにしたことを特徴とする。
【００２２】
この手段により、熱源を使用しない自然乾燥のため、省エネ乾燥を実現することができる足拭きマット装置が得られる。
【００２３】
また、他の手段は、浴室乾燥機から単独運転で暖房運転による温風を取り込むようにしたことを特徴とする。
【００２４】
この手段により、浴室乾燥機の熱源を使用し温風を送風して、急速乾燥を実現することができる足拭きマット装置が得られる。
【００２５】
また、他の手段は、浴室乾燥機から単独運転で乾燥運転による乾燥風を取り込むようにしたことを特徴とする。
【００２６】
この手段により、浴室乾燥機の熱源を使用し、湿気を含まない乾燥風を送風して温風よりもより急速乾燥を実現することができる足拭きマット装置が得られる。
【００２７】
また、他の手段は、足拭きマット装置の中に、水分量検出手段を備えたことを特徴とする。
【００２８】
この手段により、水分量を検出することで、足拭きマットの乾燥状態をリアルタイムで確認することができる足拭きマット装置が得られる。
【００２９】
また、他の手段は、足拭きマット装置の中に、加熱手段を備えたことを特徴とする。
【００３０】
この手段により、足拭きマットの使用頻度が高いときの乾燥風よりもさらに急速乾燥を実現することができる足拭きマット装置が得られる。
【００３１】
また、他の手段は、足拭きマット装置の中に、重量を検出する重量検出手段を備えたことを特徴とする。
【００３２】
この手段により、重量検出手段にて、浴室へ人が入ったことが確認できるため、浴室からでてくるまでの間に足拭きマットを暖め、完全乾燥した暖かい足拭きマットを提供することができる足拭きマット装置が得られる。
【００３３】
また、他の手段は、足拭きマット装置内に送り出しの回転ローラーを備え、前記送り出しの回転ローラーを回転制御する遠隔操作手段を備えたことを特徴とする。
【００３４】
この手段により、遠隔操作手段で新しい乾燥されたマットをボタン操作の自動送りの手軽な操作で送り出すことを実現することができる足拭きマット装置が得られる。
【００３５】
また、他の手段は、足拭きマット装置内に送り出しの回転ローラーと重量を検出する重量検出手段を備え、回転ローラーの回転中に一定重量以上の重量検出した時点で回転動作を停止する構成としたことを特徴とする。
【００３６】
この手段により、回転ローラーが回転中に足拭きマット装置に乗ると人が転倒する危険があるため、即座に回転ローラーを停止させることを実現することができる足拭きマット装置が得られる。
【００３７】
また、他の手段は、足拭きマット装置内に足拭きマットを備え、足拭きマット着脱時に足拭きマット装置と浴室乾燥機を停止させる構成としたことを特徴とする。
【００３８】
この手段により、足拭きマットの交換の際、安全を確保するために足拭きマットの回転ローラーの停止や加熱装置の停止及び浴室乾燥機の全ての運転を停止することを実現する      足拭きマット装置が得られる。
【００３９】
また、他の手段は、足拭きマット装置の中に、足拭きマットの汚れ具合を検出する汚れ検出手段を備えたことを特徴とする。
【００４０】
この手段により、足拭きマットの汚れ検出手段にて、常時、清潔な足拭きマットを実現することができる足拭きマット装置が得られる。
【００４１】
また、他の手段は、足拭きマット装置の中に、ゴミ取りフィルターを内蔵したことを特徴とする。
【００４２】
この手段により、足拭きマットが常時、清潔で髪の毛などのゴミが付着しない構造にすることを実現することができる足拭きマット装置が得られる。
【発明の効果】
【００４３】
本発明によれば、浴室を換気、暖房、乾燥または涼風運転する浴室乾燥機と足を拭く足拭きマット装置を備え、前記浴室乾燥機からの送風を前記足拭きマット装置に取り込むようにしたことにより、足拭きマット装置内に熱源と送風手段を持たない構造、構成にすることができる。
【００４４】
また、浴室を換気、暖房、乾燥または涼風運転する浴室乾燥機と足を拭く足拭きマット装置をシステム化することで、機器、システムの小型化を実現し、熱源と送風手段の共用化が図れ、省エネ化が図れることとなる。
【００４５】
さらに、浴室を換気、暖房、乾燥または涼風運転する浴室乾燥機と足を拭く足拭きマット装置をシステム化することで、操作を共通にすることができるため、操作性の向上を図ることができる。
【００４６】
また、浴室乾燥機と足拭きマット装置間で空気を循環させて、浴室乾燥機の排気ダクトから屋外へ排気させることで、従来例のように脱衣室に排気されないため、排気熱がこもることなく、脱衣室の温度を過剰に上昇させることを防止することができ、足拭きマットを乾燥させることができるという効果のある足拭きマット装置システムを提供できる。
【００４７】
さらに、足拭きマット装置を床下あるいは壁内に収納する収納構造を備えたことにより、足拭きマット装置は脱衣室のスペースを使用しないため、脱衣室を有効利用できる。
【００４８】
また、足拭きマット装置を床下あるいは壁内に収納する収納構造にしたため、床と同じ高さに足拭きマット装置が設置されるため、使い勝手がよく、バリアフリーにすることができて、段差のない足拭きマットのためにお年寄りの方にも安全で快適な浴室空間にするという効果のある足拭きマット装置システムを提供できる。
【００４９】
さらに、浴室を換気、暖房、乾燥または涼風運転する浴室乾燥機の運転操作する遠隔操作手段に足拭きマット装置の運転制御機能を追加したことにより、離れた場所にある運転操作ボタンを押すことなく、浴室乾燥機の遠隔操作手段で操作できるため、操作性が向上することができるという効果のある足拭きマット装置システムを提供できる。
【００５０】
また、遠隔操作手段操作で浴室乾燥機と連動あるいは単独運転の選択が可能としたことにより、浴室乾燥機と足拭きマット装置の単独運転や連動運転が１つの遠隔操作手段で実現し、集中制御できるシステムになるために操作性が向上することができるという効果のある足拭きマット装置システムを提供できる。
【００５１】
さらに、浴室乾燥機から単独運転で涼風運転による涼風を取り込むようにしたことことにより、熱源を使用しない自然乾燥のため、省エネ乾燥を実現し、急速乾燥を必要としないときに、浴室乾燥機加熱手段を使用しないため、電力を抑えることで省エネに効果のある足拭きマット装置システムを提供できる。
【００５２】
また、浴室乾燥機から単独運転で暖房運転による温風を取り込むようにしたことにより、熱源を使用して温風を送風するため、急速乾燥を実現し、足拭きマットを乾かすことができるため、乾燥時間を短縮できるという効果のある足拭きマット装置システムを提供できる。
【００５３】
さらに、浴室乾燥機から単独運転で乾燥運転による乾燥風を取り込むようにしたことにより、熱源を使用し、湿気を含まない乾燥風を送風するため、暖房よりもより急速乾燥を実現し、短時間で足拭きマットを乾かすことができるため、より急いでいる時に乾燥時間を短縮できるという効果のある足拭きマット装置システムを提供できる。
【００５４】
また、足拭きマット装置の中に、水分量検出手段を備えたことにより、水分量を検出することで、足拭きマットの乾燥状態をリアルタイムで確認することができ、水分量がなくなった時点で、運転を自動停止することができるため、効率の良い乾燥を実現できるという効果のある足拭きマット装置システムを提供できる。
【００５５】
さらに、足拭きマット装置の中に、加熱手段を備えたことにより、足拭きマットの使用頻度が高いときの急速乾燥を実現することができ、使用者にいつでも乾燥された足拭きマットを提供することができるという効果のある足拭きマット装置システムを提供できる。
【００５６】
また、足拭きマット装置の中に、重量を検出する重量検出手段を備えたことにより、重量検出手段にて、浴室へ入ったことが確認できるため、浴室から出て来るまでのあいだに、足拭きマットを暖め、完全乾燥した暖かい足拭きマットを提供することができ、足拭きマットがふんわりと柔らかな足触りを実現することができるという効果のある足拭きマット装置システムを提供できる。
【００５７】
さらに、足拭きマット装置内に送り出しの回転ローラーを備え、前記送り出しの回転ローラーを回転制御する遠隔操作手段を備えたことにより、浴室内から出ることなく、遠隔操作手段で新しい乾燥されたマットを自動で送り出され、使用したいマットの面を手軽な操作で選ぶことができるため、操作性が向上するという効果のある足拭きマット装置システムを提供できる。
【００５８】
また、足拭きマット装置内に送り出しの回転ローラーと重量を検出する重量検出手段を備え、回転ローラーの回転中に一定重量以上の重量検出した時点で回転動作を停止する構成としたことにより、足拭きマットの回転ローラーが回転中に足拭きマット装置に乗ると人が転倒する危険があるため、即座に回転ローラーの回転を停止させてことで、安全性を確保するという効果のある足拭きマット装置システムを提供できる。
【００５９】
さらに、足拭きマット装置内に足拭きマットを備え、足拭きマット着脱時に足拭きマット装置と浴室乾燥機を停止させる構成としたことにより、足拭きマットが汚れて交換の際、安全を確保するために、足拭きマットの回転ローラーの停止や加熱装置の停止及び浴室乾燥機の全ての運転を停止することで、温風を止めて、取り換え作業の安全性を確保するという効果のある足拭きマット装置システムを提供できる。
【００６０】
また、足拭きマット装置の中に、足拭きマットの汚れ具合を検出する汚れ検出手段を備えたことにより、足拭きマットの汚れ検出手段にて、常時、清潔な足拭きマットを提供することができるため、快適な脱衣室空間にすることができるという効果のある足拭きマット装置システムを提供できる。
【００６１】
さらに、足拭きマット装置の中に、ゴミ取りフィルターを内蔵したことにより、足拭きマットが常時、髪の毛などのゴミが付着しない構造にすることで、清潔な足拭きマットを提供することができるため、快適な脱衣室空間にすることができるという効果のある足拭きマット装置システムを提供できる。
【発明を実施するための最良の形態】
【００６２】
本発明の請求項１記載の発明は、送風を取り込むようにしたものであり、熱源と送風手段のシステム構成のため、浴室乾燥機から足を拭く足拭きマット装置に風を送り込むことができるという作用を有する。
【００６３】
また、足拭きマット装置を床下あるいは壁内に収納する収納構造を備えたものであり、収納構造にすることで、浴室の天井に設置されている浴室乾燥機の足拭きマット吸気ダクトを浴室の天井から脱衣室内に引き回すことなく、壁内や床下に引き回すことができるため、足を拭く足拭きマットの吸気と排気が床下や壁内に設置することができるという作用を有する。
【００６４】
さらに、浴室を換気、暖房、乾燥または涼風運転する浴室乾燥機の運転操作する遠隔操作手段に機能追加して運転制御が可能な構造を備えたものであり、浴室乾燥機の遠隔操作手段で足を拭く足拭きマット装置を運転操作ができるという作用を有する。
【００６５】
また、遠隔操作手段で浴室乾燥機と連動あるいは単独運転の選択が可能な構造を備えたものであり、使用条件に応じて、運転モードを選択することができるという作用を有する。
【００６６】
さらに、浴室乾燥機から単独運転で足を拭く足拭きマット装置に涼風を取り込むようにしたものであり、涼風を足拭きマット装置の内部に送風することで、熱源を使用しないで足拭きマットを乾かすことができるという作用を有する。
【００６７】
また、浴室乾燥機から単独運転で足を拭く足拭きマット装置に暖房風を取り込むようにしたものであり、浴室乾燥機の熱源を使用した温風を足拭きマット装置の内部に送風することができるという作用を有する。
【００６８】
さらに、浴室乾燥機から単独運転で足拭きマット装置に乾燥風を取り込むようにしたものであり、浴室乾燥機の熱源を使用した湿気を含まない乾燥風を足拭マット装置の内部に送風することができるという作用を有する。
【００６９】
また、水分量検出手段を備えたものであり、使用者が足を拭いた後の足拭きマットの水分量を水分量検出手段で検出することができるという作用を有する。
【００７０】
さらに、加熱手段を備えたものであり、足拭きマット装置内に新たな熱源である加熱手段を設けることで、温風や乾燥風と加熱手段の両方で足拭きマットを乾燥させることができるという作用を有する。
【００７１】
また、重量を検出する重量検出手段を備えたものであり、重量検出手段にて重量を検出すると、一定時間のスタンバイモードに入り、水分検出手段して、足拭きマットの状態を確認するとともに足拭きマットを暖めることができるという作用を有する。
【００７２】
さらに、足を拭く足拭きマット装置内に送り出しの回転ローラーを備え、前記送り出しの回転ローラーを回転制御する遠隔操作手段を備えたものであり、足拭きマットの回転ローラーを遠隔操作手段のボタンで足拭きマットの送り出しをすることができるという作用を有する。
【００７３】
また、足を拭く足拭きマット装置内に送り出しの回転ローラーと重量を検出する重量検出手段を備え、回転ローラーの回転中に一定重量以上の重量検出した時点で回転動作を停止する構成としたものであり、足拭きマットの回転ローラー回転中に重量検出手段が検出すると回転ローラーの回転動作を停止することができるという作用を有する。
【００７４】
さらに、足を拭く足拭きマット装置内に足拭きマットを備え、足拭きマット着脱時に足拭きマット装置と浴室乾燥機を停止させる構成としたものであり、足拭きマットが過剰に濡れて交換したいときや汚れたときに足拭きマットを交換するために、装置の蓋を開けたときに足拭きマット装置と浴室乾燥機の運転を停止させることができるという作用を有する。
【００７５】
また、足を拭く足拭きマットの汚れ具合を検出する汚れ検出手段を備えたものであり、足拭きマット装置内の汚れ検出手段を設けることで足拭きマットの汚れぐらいをリアルタイムに検出することができるという作用を有する。
【００７６】
さらに、ゴミ取りフィルターを内蔵したたものであり、足を拭く足拭きマット装置内にフィルターを設けることで、足拭きマット装置内に流れる温風で足拭きマットが乾燥し、足拭きマットに付着した髪の毛が乾燥することで浮遊したり、足拭きマット装置内に蓄積されたり、再度、足拭きマットに付着する恐れがあるため、フィルターにて清掃することができるという作用を有する。
【００７７】
以下、本発明の実施の形態について図面を参照しながら説明する。
【００７８】
（実施の形態１）
図１は、本実施の形態１における足拭きマット装置システムの構成図を示す。図１に示すように、涼風運転または／および暖房運転または／および乾燥運転または／および換気運転が可能な浴室乾燥機１において、浴室内へ涼風または／および暖房または／および乾燥運転時の風を送風するための循環送風手段２と、換気運転時に屋外へ湿った空気を排出するための排気送風手段３と、浴室内の湿った空気を暖房または／および乾燥運転にて、空気中の水分を蒸発させるために加熱する浴室乾燥機加熱手段４と、浴室乾燥機１の運転及び停止を制御する浴室乾燥機制御部５と、循環送風手段２から送風された空気が、浴室乾燥機加熱手段４により、加熱された空気となり浴室内へ送風したときの浴室内の入口である浴室内吸気口６と、浴室内の空気を排出するための出口として備えられた浴室内排気口７と、循環送風手段２と排気送風手段３の運転状態にて、浴室乾燥機制御部５の指示で稼動する稼動式の循環換気ダンパー８と、排気送風手段３が動作しているときに屋外へ空気を排出するための風路である排気ダクト９を備えている。
【００７９】
また、循環送風手段２と排気送風手段３は、例えば、一般的にファンモーターを使用しており、送風可能であれば、ファンの種類に特に規定はない。
【００８０】
さらに、浴室乾燥機加熱手段４は、例えば、電気式のヒーターが用いられ、加熱可能で温風をつくり出せることが可能であれば、特に規定はない。
【００８１】
また、浴室乾燥機制御部５は、循環送風手段２や排気送風手段３や浴室乾燥機加熱手段４を動作させる機能を持つ制御盤であり、一例としてマイコンを搭載した電子制御により、循環送風手段２や排気送風手段３や浴室乾燥機加熱手段４などを動作させる機能をもつ制御盤であり、乾燥運転であれば、浴室乾燥機加熱手段４を停止させ、循環送風手段２と排気送風手段３を運転制御させることで、浴室内と足を拭く足拭きマット装置１０へ送風することができる制御盤である。
【００８２】
さらに、浴室乾燥機制御部５は、もう１つの例として、通信機能も備えたものであり、別の機器との接続により、連動制御も可能とする機能を備えた制御盤である。
【００８３】
また、稼動式の循環換気ダンパー８の動作としては、循環送風手段２または排気送風手段３のいずれか停止すれば、停止している送風手段の方向の風路を遮断させるために循環換気ダンパー８が稼動して、風路を塞ぐように動作する。
【００８４】
さらに、循環送風手段２と排気送風手段３がともに動作していれば、循環換気ダンパー８は双方の風路の遮断を解除し、双方の風路に送風するために中間の位置に稼動することとする。
【００８５】
また、浴室乾燥機１は、浴室から濡れて出てきた人の足についた水分を拭き取る足拭きマット装置１０と、接続されたシステム構成であり、足を拭く足拭きマット装置１０には、布製などの吸水性があり、乾きやすい足を拭く足拭きマット１１と、浴室乾燥機１の循環送風手段２の送風は、浴室乾燥機加熱手段４を通過後に浴室内だけでなく、足拭きマット装置１０へ送風する経路である足拭きマット吸気ダクト１２と、足拭きマット吸気ダクト１２を通過し、足拭きマット装置１０の入口の吸気口である足拭きマット吸気口１３と、足拭きマット装置１０に送風された空気を循環させるために、空気を排気する排気口である足拭きマット排気口１４と、排気された空気を浴室乾燥機１へ循環させるための経路である足拭きマット排気ダクト１５と、足拭きマット装置１０の内部に足拭きマット１１が濡れたときなどに新しい面の布を回転動作で送り込むための補助機能である回転ローラー１６を備えている。
【００８６】
さらに、足拭きマット排気ダクト１５より浴室乾燥機１に循環された空気は、浴室乾燥機１の運転状況により、屋外へ排出されたり、循環されたりして、浴室乾燥機１の運転モードに依存することとする。
【００８７】
また、足拭きマット装置１０の内部の回転ローラー１６は、足を拭く足拭きマット１１が濡れていた時に回転ローラー１６を手動にて動かすことで、足拭きマット１１の新しい乾いた面を送り出すことができる。
【００８８】
さらに、浴室には浴槽１７と、人の出入り口である浴室開閉扉１８と、床１９を備え、浴室開閉扉１８の前方の床１９の上に足拭きマット装置１０が配置されている。
【００８９】
上記構成において、床１９の上に配置された足拭きマット装置１０は、熱源と送風手段を持たない機器構成であるが、浴室乾燥機１とシステム構成をすることで、浴室乾燥機１の運転状態に合わせて、足拭きマット吸気口１３より、風が送られてきて、足拭きマット排気口１４より浴室乾燥機１へ風を送り出すことで、循環経路ができる。
【００９０】
また、循環経路ができることで、足を拭く足拭きマット１１に付着した水分を浴室乾燥機１へ送り出すことができ、浴室乾燥機１の機能を用いて、足拭きマット１１に付着した水分を、排気ダクト９から屋外へ放出させて乾燥させることができる。
【００９１】
（実施の形態２）
図２は、本実施の形態２における足拭きマット装置システムの構成図を示す。なお、実施の形態１と同一のものは同一符号を付し、詳細な説明は省略する。
【００９２】
図２に示すように、涼風運転または／および暖房運転または／および乾燥運転または／および換気運転が可能な浴室乾燥機１において、浴室から濡れて出て来た人の足についた水分を拭き取り足を拭く足拭きマット装置２０は足拭きマット装置を床下あるいは壁内に収納する収納構造で、人の出入り口である浴室開閉扉１８の前方の床１９の下に収納させた足拭きマット装置２０と、足拭きマット装置２０には、布製などの吸水性があり、乾きやすい足を拭く足拭きマット２１と、浴室乾燥機１の循環送風手段２の送風は、浴室乾燥機加熱手段４を通過後に浴室内だけでなく、足拭きマット装置２０へ送風する経路である足拭きマット吸気ダクト２２と、足拭きマット吸気ダクト２２を通過し、足拭きマット装置２０の入口の吸気口である足拭きマット吸気口２３と、足拭きマット装置２０に送風された空気を循環させるために、空気を排気する排気口である足拭きマット排気口２４と、排気された空気を浴室乾燥機１へ循環させるための経路である足拭きマット排気ダクト２５と、足拭きマット装置２０の内部に足拭きマット２１が濡れたときなどに新しい面の布を回転動作で送り込むための補助機能である回転ローラー２６を備えた浴室乾燥機１と接続されたシステム構成である。
【００９３】
また、足拭きマット排気ダクト２５より浴室乾燥機１に循環された空気は、浴室乾燥機１の運転状況により、屋外へ排出されたり、循環されたりして、浴室乾燥機１の運転モードに依存することとする。
【００９４】
さらに、足拭きマット装置２０の内部の回転ローラー２６は、足を拭く足拭きマット２１が濡れていた時に回転ローラー２６を手動にて動かすことで、足拭きマット２１の新しい乾いた面を送り出すことができる。
【００９５】
また、足拭きマット装置２０を床下あるいは壁内に収納する収納構造としたことで、浴室の天井に設置されている浴室乾燥機１の足拭きマット吸気ダクト２２を浴室の天井から脱衣室内に引き回すことなく、壁内や床下に引き回すことができるため、脱衣室のスペースを確保することができるだけでなく、足拭きマット装置２０の形状を床下構造の空きスペースに応じて大きくすることが可能となる。そのため、足拭きマット２１の長さを長くすることで乾いている足拭きマット２１の量を確保することできる。
【００９６】
さらに、足拭きマット２１を長くすることで、回転ローラー２６を複数個必要となり、回転ローラー２６に掛かる１個あたりの足拭きマット２１の荷重が実施の形態１より、軽くなるため、小さな力で回転ローラー２６を動かすことができる。
【００９７】
上記構成において、床１９の下に配置された足拭きマット装置２０は、熱源と送風手段を持たない機器構成であるが、浴室乾燥機１とシステム構成をすることで、浴室乾燥機１の運転状態に合わせて、足拭きマット吸気口２３より、空気が送られてきて、足拭きマット排気口２４より浴室乾燥機１へ空気を送り出すことで、循環経路ができる。
【００９８】
また、循環経路ができることで、足拭きマット２１に付着した水分を浴室乾燥機１へ送り出すことができ、浴室乾燥機１の機能を用いて、足拭きマット２１に付着した水分を放出し乾燥することができる。
【００９９】
さらに、床置きタイプでは、小型が求められていたが、床下収納にしたことで、床下の空きスペースを有効活用することで、足拭きマット２１の長さを長くして、量を増やすことで、いつも乾いた足拭きマット２１を提供することができる。
【０１００】
また、壁内に収納された場合の足拭きマット装置２０は、回転ローラー２６と足拭きマット２１のみ浴室開閉扉１８の前方で床１９と同じ高さになるバリアフリー構造で、足拭きマット吸気ダクト２２と足拭きマット吸気口２３と足拭きマット排気口２４と足拭きマット排気ダクト２５を搭載した足拭きマット装置２０は壁内に設置する構造とする。
【０１０１】
（実施の形態３）
図３は、本実施の形態３における足拭きマット装置システムの構成図を示す。  なお、実施の形態１または２と同一のものは同一符号とし、詳細な説明は省略する。
【０１０２】
図３に示すように、涼風や暖房や乾燥や換気運転が可能な浴室乾燥機１と、床１９の下に収納させた足拭きマット装置２０のシステム構成において、浴室乾燥機１と足拭きマット装置２０を遠隔で操作するために設けた遠隔操作手段２７と、遠隔操作手段２７からの信号を浴室乾燥機制御部５に伝達する接続線である遠隔操作手段通信線２８と、足拭きマット装置２０を遠隔制御可能にするために設けた足拭きマット装置制御部２９と、足拭きマット装置制御部２９からの信号を浴室乾燥機制御部５に伝達する接続線である足拭きマット装置通信線３０と、遠隔操作手段２７の運転信号を受信した浴室乾燥機制御部５が運転モードに応じて、循環送風手段２からの送風の風路を決定し、風路を切り換えるために設けた２つのダンパーの１つである足拭きマット装置側に配置した開閉ダンパー３１と、もう１つの浴室側に配置した開閉ダンパー３２を備えている。
【０１０３】
また、遠隔操作手段２７の一例として、一般的にはワイヤードリモコンが使用されるが、遠隔操作が可能であれば、赤外線や電波を用いたワイヤレスリモコンでもよく、特に規定はない。
【０１０４】
さらに、遠隔操作手段２７の操作ボタンを押すことにより、浴室乾燥機制御部５と足拭きマット装置制御部２９に信号が伝達され、循環送風手段２や排気送風手段３や浴室乾燥機加熱手段４や開閉ダンパー３１や開閉ダンパー３２を運転モードに応じて、運転制御させて、足拭きマット装置２０に送風させながら、足拭きマット２１を乾燥させる。
【０１０５】
次に図４に示すように、遠隔操作手段通信線２８に接続された遠隔操作手段２７は、浴室乾燥機１と足拭きマット装置２０の運転状態を切り換え可能にした運転モード切換ボタン３３と、運転モード切換ボタン３３の操作により選ばれた運転モードが浴室乾燥機１と足拭きマット装置２０が連動運転するのであれば、その情報を遠隔操作手段２７に表示するための連動モード表示手段３４と、運転モード切換ボタン３３の操作により選ばれた運転モードが浴室乾燥機１の単独運転するのであれば、その情報を遠隔操作手段２７に表示するための浴室単独モード表示手段３５と、運転モード切換ボタン３３の操作により選ばれた運転モードが足拭きマット装置２０の単独運転するのであれば、その情報を遠隔操作手段２７に表示するための足マット単独モード表示手段３６と、浴室乾燥機１から涼しい風を送風する涼風ボタン３７と、浴室乾燥機１が浴室内の空気を屋外へ換気させるための換気ボタン３８と、浴室乾燥機１が温風を送風する暖房ボタン３９と、浴室乾燥機１が湿度の低い乾燥された風を送風する乾燥ボタン４０と、足拭きマット２１を自動乾燥させるための操作ボタンの足拭きマット自動乾燥ボタン４１と、足拭きマット２１を加熱乾燥させる足拭きマット装置２０内に追加で設けた熱源を運転させるための操作ボタンの足拭きマット加熱ボタン４２と、足拭きマット装置２０に内蔵された回転ローラー２６を足拭きマット装置制御部２９にて回転を制御可能とした遠隔操作手段２７の操作ボタンの回転ローラーボタン４３を備えている。
【０１０６】
また、連動モード表示手段３４や浴室単独モード表示手段３５や足マット単独モード表示手段３６の表示手段の一例として、ＬＥＤなどの表示手段で操作ボタンに連動して、ＬＥＤが点灯や消灯をする。
【０１０７】
上記構成において、遠隔操作手段２７にて浴室乾燥機１と足拭きマット装置２０を１つのシステムとして集中制御で運転操作が可能となる。
【０１０８】
また、遠隔操作手段２７の運転モード切換ボタン３３にて浴室乾燥機１と足拭きマット装置２０を連動運転または単独運転を切り換えすることができる。
【０１０９】
さらに、浴室乾燥機１と足拭きマット装置２０の連動運転は、浴室乾燥機１の運転状態に連動して、足拭きマット装置２０へも同じ運転モードの送風をすることができる。
【０１１０】
また、浴室乾燥機１の単独運転について説明する。遠隔操作手段２７の運転モード切換ボタン３３にて、浴室単独を選択され、浴室単独モード表示手段３５が表示されたら、足拭きマット装置２０側に配置した開閉ダンパー３１を閉じることで、足拭きマット装置２０への送風を遮断することで、浴室側のみ送風することができる。
【０１１１】
さらに、足拭きマット装置２０の単独運転について説明する。遠隔操作手段２７の運転モード切換ボタン３３にて、足マット単独を選択され、足マット単独モード表示手段３６が表示されたら、浴室側に配置した開閉ダンパー３２を閉じることで、浴室側への送風を遮断することで、足拭きマット装置２０のみ送風することができる。
【０１１２】
また、単独運転を実現することで、使用者の必要な機器の運転のみを実現できるために消費電力を少なくすることができる。
【０１１３】
さらに、遠隔操作手段２７の運転モード切換ボタン３３にて切り換えられた現在の運転状態を連動モード表示手段３４や浴室単独モード表示手段３５や足マット単独モード表示手段３６で視覚して容易に確認することができる。
【０１１４】
また、遠隔操作手段２７の運転モード切換ボタン３３を足マット単独にした場合に足マット単独モード表示手段３６が表示され、その後、涼風ボタン３７を選択すると、浴室乾燥機１の循環送風手段２と排気送風手段３が運転し、浴室側に配置した開閉ダンパー３２を閉じることで、足拭きマット装置２０の単独運転が実現し、涼風の循環と屋外への換気を実施できるため、熱源を使用しない省エネ状態で足拭きマット２１を乾燥することができる。
【０１１５】
さらに、遠隔操作手段２７の運転モード切換ボタン３３を足マット単独にした場合に足マット単独モード表示手段３６が表示され、その後、暖房ボタン３９を選択すると、浴室乾燥機１の循環送風手段２と浴室乾燥機加熱手段４が運転し、浴室側に配置した開閉ダンパー３２を閉じることで、足拭きマット装置２０の単独運転が実現し、温風の暖かい風が循環されるため、浴室内には送風されないが、浴室乾燥機１の熱源を用いた単独運転で足拭きマット２１を急速に乾燥することができる。
【０１１６】
また、遠隔操作手段２７の運転モード切換ボタン３３を足マット単独にした場合に足マット単独モード表示手段３６が表示され、その後、乾燥ボタン４０を選択すると、浴室乾燥機１の循環送風手段２と排気送風手段３と浴室乾燥機加熱手段４が運転し、浴室側に配置した開閉ダンパー３２を閉じることで、足拭きマット装置２０の単独運転が実現し、温風の暖かい風が循環されかつ、湿った空気は屋外へ排出されるため、浴室内には送風されないが、浴室乾燥機１の熱源を用いた単独運転で、より湿度の低い乾燥された温風を送風することで、足拭きマット２１をより急速に乾燥することができる。
【０１１７】
（実施の形態４）
図５は、本実施の形態４における足拭きマット装置システムの構成図を示す。なお、実施の形態１〜３のいずれかと同一のものは同一符号とし、詳細な説明は省略する。
【０１１８】
図５に示すように、足拭きマット装置２０の足拭きマット２１付近に足拭きマット２１の水分量を検出して、濡れぐらいを把握する水分量検出手段４４と、足拭きマット２１の内部に新たに設けられた足拭きマット乾燥用の熱源である足拭きマット加熱手段４５を備えている。
【０１１９】
また、水分量検出手段４４の一例として、赤外線の反射によって光学的に水分検出する水分センサーなどがある。
【０１２０】
さらに足拭きマット加熱手段４５の一例として、薄型で柔らかい面状発熱体のシートヒーターなどがある。
【０１２１】
図４に示すように、足拭きマット２１を自動乾燥させるための操作ボタンの足拭きマット自動乾燥ボタン４１と、足拭きマット２１を加熱乾燥させる足拭きマット装置２０内に追加で設けた熱源を運転させるための操作ボタンである足拭きマット加熱ボタン４２を備えている。
【０１２２】
上記構成において、遠隔操作手段２７の操作ボタンの足拭きマット自動乾燥ボタン４１が押されている場合、足拭きマット装置２０側の開閉ダンパー３１は、乾燥が完了するまで、ダンパーを開け、浴室乾燥機１から足拭きマット装置２０へ送風することとする。
【０１２３】
また、水分量検出手段４４より検出された水分量を足拭きマット装置制御部２９で乾き具合を判断し、足拭きマット装置通信線３０を経由して、浴室乾燥機制御部５に乾燥させるための運転指示を送信し、浴室乾燥機１は運転を開始する。
【０１２４】
さらに、運転は水分量検出手段４４が足拭きマット２１が乾燥したと判断するまで継続する自動運転をすることができる。
【０１２５】
また、水分量検出手段４４は、２ヶ所以上配置することとし、１ヶ所は、上面の現在使用している足拭きマット２１の状態を確認することとし、２ヶ所目は、回転ローラー２６の進行方向の左側面とし、次の使用する足拭きマット面でもあり、かつ足拭きマット吸気口２３からの送風で最も乾きやすい位置に配置されているため、新たに使用する足拭きマット２１を最高の乾燥状態で提供することができる。
【０１２６】
さらに、遠隔操作手段２７の操作ボタンの足拭きマット加熱ボタン４２を使用者が押すことで、足拭きマット装置２０の新たに追加された熱源である２個の足拭きマット加熱手段４５が動作し、足拭きマット２１を急速に乾燥させることができる。
【０１２７】
また、足拭きマット加熱手段４５は、２ヶ所以上配置することとし、１ヶ所は、現在使用している足拭きマット２１の下に配置し状態を確認することとし、２ヶ所目は、回転ローラー２６の進行方向の左側面とし、次の回転ローラー２６にて使用する足拭きマット２１の面でもあるが、短時間で大量の使用者が発生した場合、浴室乾燥機１からの送風では時間的に乾燥時間がないと使用者が判断したときに手動で足拭きマット加熱ボタン４２を押すことで、足拭きマット加熱手段４５と足拭きマット吸気口２３からの送風の２重の乾燥を実現し、緊急時の急速乾燥状態で提供することができる。
【０１２８】
さらに、水分量検出手段４４により、乾燥と判断されたら、足拭きマット加熱手段４５は自動で停止することとする。
【０１２９】
（実施の形態５）
図６は、本実施の形態５における足拭きマット装置システムの構成図を示す。なお、実施の形態１〜４のいずれかと同一のものは同一符号とし、詳細な説明は省略する。
【０１３０】
図６に示すように、足拭きマット装置２０は、足拭きマット２１の下部に掛かる重量を検出する重量検出手段４６を備えている。
【０１３１】
次に図４に示すように、遠隔操作手段通信線２８に接続された遠隔操作手段２７は、足拭きマット装置２０に内蔵された回転ローラー２６を足拭きマット装置制御部２９にて回転を制御可能とした遠隔操作手段２７の操作ボタンの回転ローラーボタン４３を備えている。
【０１３２】
上記構成において、足拭きマット装置２０の足拭きマット２１に人が乗ると、足拭きマット２１の下部に設けた重量検出手段４６が重量を検出して、浴室に人が入ったと認識し、足拭きマット装置制御部２９から浴室乾燥機制御部５へ足拭きマット２１を乾燥させる運転指示を送ることとする。
【０１３３】
また、重量検出手段４６にて重量を検出してからある一定時間のみ運転させて自動停止することにする。
【０１３４】
さらに一定時間は約５分程度とし、理由としては、乾燥された足拭きマット２１を再度、暖める程度なので、多くの時間を必要としないため、約５分としている。
【０１３５】
また、足拭きマット２１を暖めて、再度、乾燥させた気持ちよい足拭きマット２１にした状態で浴室から出て来た人を迎え入れることで、心地よさを提供することができる。イメージとしては、湿った洗濯物を乾燥機で乾燥した際に、ふんわり柔らかな状態を実現でき、顔などの皮膚に接触させると暖かく、心地よさを体験できる。
【０１３６】
さらに、足の皮膚も同様で事前に足拭きマット２１を暖めことで、風呂上りのさっぱり感と足拭きマット２１の心地よさで使用者が浴室で体験した快適空間を、脱衣室でも継続することができるため、リラックスさせることができる。
【０１３７】
また、遠隔操作手段２７の回転ローラーボタン４３を押すことで、足拭きマット装置２０内の足拭きマット装置制御部２９へ回転ローラー２６の回転運転をする運転信号が送信され、回転ローラー２６が矢印の方向に回転することで、足拭きマット２１を操作ボタンで新しい乾燥された面に送り出すことができる。
【０１３８】
さらに、遠隔操作手段２７の回転ローラーボタン４３を浴室内に使用者がいながら操作できるため、脱衣室に水滴を落とすことなく、足拭きマット２１を新しい乾燥された面に送り出すことができる。
【０１３９】
また、遠隔操作手段２７の回転ローラーボタン４３が押されて、回転ローラー２６の回転中に、重量検出手段４６がある一定以上の重量検出をした時点で、即時に足拭きマット装置２０の回転ローラー２６を停止さて、ローラー回転中に使用者が乗ることで、転倒による怪我を防止し、安全性を確保する。
【０１４０】
さらに、ある一定以上の重量であるが、約５００ｇ程度とし、使用者が足拭きマット２１を使用することで足拭きマット２１に付着した水分も重量検出するが、水分では検出しない重量であることが必要であり、検出レベルを１０ｋｇ以上にすると子供が転倒する可能性があるため、できるだけ重量検出するレベルを低くする必要があり、約５００ｇ程度と決定している。
【０１４１】
（実施の形態６）
図７は、本実施の形態６における足拭きマット装置システムの構成図を示す。なお、実施の形態１〜５のいずれかと同一のものは同一符号とし、詳細な説明は省略する。
【０１４２】
図７に示すように、足拭きマット装置２０に足拭きマット２１が汚れたりしたときに交換するための扉である足拭きマット開閉扉４７と、足拭きマット２１を交換する際に足拭きマット開閉扉４７が開閉することを検出する扉開閉検出手段４８と、足拭きマット２１の表面の汚れを監視し、検出可能な汚れ検出手段４９と、足拭きマット装置２０の足拭きマット吸気口２３からのゴミの侵入を防止するためのフィルターである吸気口側のゴミ取りフィルター５０と、足拭きマット２１に付着したゴミを浴室乾燥機１へ排出させないために、足拭きマット排気口２４に設けた排気口側のゴミ取りフィルター５１を備えている。
【０１４３】
また、扉開閉検出手段４８の一例として、リミットスイッチがあり、扉が開いたときに機構的な構造から、スイッチが入るようにすることで、電気的信号を入手することができる。
【０１４４】
さらに、汚れ検出手段４９の一例として、浮遊粒子センサーなどのホコリセンサーなどがある。
【０１４５】
上記構成において、足拭きマット装置２０の足拭きマット２１を交換する際の完全性を確保するために、足拭きマット開閉扉４７を開けたときに、扉開閉検出手段４８が働き、扉を開けたことを検出することで、足拭きマット装置制御部２９へ信号が送られ、浴室乾燥機制御部５に信号が送られることで、浴室乾燥機制御部５が危険と判断し、浴室乾燥機１と足拭きマット装置２０の全ての運転を停止し、停止を保持することにする。
【０１４６】
また、扉開閉検出手段４８が扉を開けたことを検出している状態で、遠隔操作手段２７の運転ボタンを押しても、浴室乾燥機１と足拭きマット装置２０は停止を保持したままとする。
【０１４７】
さらに、足拭きマット２１の交換作業が終了し、扉を閉めたら扉開閉検出手段４８が扉を閉めたことを検出することで、足拭きマット装置制御部２９へ信号がおくられ、浴室乾燥機制御部５に信号が送られることで、浴室乾燥機制御部５は、危険を解除と判断し、浴室乾燥機１と足拭きマット装置２０は、停止の保持が解除され、運転信号を待ち続ける停止状態を継続する。
【０１４８】
また、足拭きマット装置２０に足拭きマット２１の汚れを検出する汚れ検出手段４９を設けることで、常時、足拭きマット２１の汚れを検出し、汚れがひどくなると、足拭きマット装置制御部２９からの回転ローラー２６へ運転信号を送信し、回転ローラー２６が回転することで、新しい乾燥された足拭きマット２１を提供することがでる。
【０１４９】
さらに、足拭きマット装置２０の足拭きマット吸気口２３からのゴミの侵入を防止するためのフィルターである吸気口側のゴミ取りフィルター５０を設けることで、足拭きマット２１に浴室乾燥機１から運ばれてきた風と一緒にゴミも運ばれて来た場合にゴミ取りフィルター５０にて、ゴミの付着を防止することができる。
【０１５０】
また、足拭きマット吸気口２３にある足拭きマット２１は、回転ローラー２６にて、次に送られる新しいマット面のため、ゴミの付着が存在すれば、すぐに使用者に発見され、不快感を与える恐れがあるため、ゴミ取りフィルター５０の装着が必要となる。
【０１５１】
さらに、使用者が足拭きマット２１を使用後、回転ローラー２６にて、足拭きマット装置２０内に足拭きマット２１を送り込んだ場合、付着していたゴミが、足拭きマット吸気口２３からの風で吹き飛ばされて、足拭きマット装置２０内を浮遊する恐れがあり、循環して浴室乾燥機１へゴミを送り返されるため、ゴミを浴室乾燥機１へ排出させないためにも、足拭きマット排気口２４にゴミ取りフィルター５１を設けることで、ゴミを浴室乾燥機１と足拭きマット装置２０の機器の間で、ゴミの循環がない構造にすることで、清潔な足拭きマット２１を提供することができる。
【産業上の利用可能性】
【０１５２】
浴室乾燥機の熱源を用いて、足拭きマットの乾燥及びシステム機器として、連動または単独運転させたものであり、住宅用の空調機あるいは、脱衣室用の換気やトイレ用の換気システムにも連動制御する用途にも適用できる。
【図面の簡単な説明】
【０１５３】
【図１】本発明の実施の形態１における足拭きマット装置の構成図
【図２】本発明の実施の形態２における足拭きマット装置の構成図
【図３】本発明の実施の形態３における足拭きマット装置の構成図
【図４】本発明の実施の形態３における遠隔操作手段の構成図
【図５】本発明の実施の形態４における足拭きマット装置の構成図
【図６】本発明の実施の形態５における足拭きマット装置の構成図
【図７】本発明の実施の形態６における足拭きマット装置の構成図
【図８】従来の温風発生機の構成図
【図９】従来の足拭きマットの構成図
【符号の説明】
【０１５４】
１      浴室乾燥機
２      循環送風手段
３      排気送風手段
４      浴室乾燥機加熱手段
５      浴室乾燥機制御部
６      浴室内吸気口
７      浴室内排気口
８      循環換気ダンパー
９      排気ダクト
１０    足拭きマット装置
１１    足拭きマット
１２    足拭きマット吸気ダクト
１３    足拭きマット吸気口
１４    足拭きマット排気口
１５    足拭きマット排気ダクト
１６    回転ローラー
１７    浴槽
１８    浴室開閉扉
１９    床
２０    足拭きマット装置
２１    足拭きマット
２２    足拭きマット吸気ダクト
２３    足拭きマット吸気口
２４    足拭きマット排気口
２５    足拭きマット排気ダクト
２６    回転ローラー
２７    遠隔操作手段
２８    遠隔操作手段通信線
２９    足拭きマット装置制御部
３０    足拭きマット装置通信線
３１    開閉ダンパー
３２    開閉ダンパー
３３    運転モード切換ボタン
３４    連動モード表示手段
３５    浴室単独モード表示手段
３６    足マット単独モード表示手段
３７    涼風ボタン
３８    換気ボタン
３９    暖房ボタン
４０    乾燥ボタン
４１    足拭きマット自動乾燥ボタン
４２    足拭きマット加熱ボタン
４３    回転ローラーボタン
４４    水分量検出手段
４５    足拭きマット加熱手段
４６    重量検出手段
４７    足拭きマット開閉扉
４８    扉開閉検出手段
４９    汚れ検出手段
５０    ゴミ取りフィルター
５１    ゴミ取りフィルター
１０１  温風発生機
１０２  操作部
１０３  吸気口
１０４  電源コンセント
１０５  温風筒
１０６  温風吹出し口
１０７  接続部材
１０８  足拭きマット
１０９  開口部
１１０  開口部の一端
【図１】
2008073274.tif 000003
【図２】
2008073274.tif 000004
【図３】
2008073274.tif 000005
【図４】
2008073274.tif 000006
【図５】
2008073274.tif 000007
【図６】
2008073274.tif 000008
【図７】
2008073274.tif 000009
【図８】
2008073274.tif 000010
【図９】
2008073274.tif 000011